(57)【特許請求の範囲】
【請求項１】
２系統の伝送路を介して伝送されてくる信号を受信する受信端に設けられた無瞬断切替装置において、
受信信号入力２ポートに対して、同期ロスを一定時間発生する同期ロス発生手段と、
受信信号を監視し、該受信信号の状態遷移を検知すると共に、前記同期ロスを監視する状態監視手段と、
該状態監視手段の状態遷移の検知に従って動作する遅延調整制御手段と、
前記遅延調整制御手段からの指示により遅延調整を実施する遅延調整手段と、
前記受信信号の系統切替を行う系統切替手段とを具備し、
該同期ロス発生手段は、送信点変更オペレーション操作がされたときに動作することを特徴とする無瞬断切替装置。
【請求項２】
請求項１に記載の無瞬断切替装置において、
前記遅延調整手段のメモリ内調整域は、前記同期ロス発生手段から同期ロスが発生された時に初期設定処理されることを特徴とする無瞬断切替装置。
【発明の詳細な説明】
【０００１】
【発明の属する技術分野】
この発明は無瞬断切替装置に関し、特に複数の送信点から選択的に送出される信号を２つの異なる伝送路を経由して受信する２系統伝送方式において、同一送信点での信号非同期切替あるいは送信点の変更時に円滑に動作するようにした無瞬断切替装置に関する。
【０００２】
【従来の技術】
前記複数の送信点から選択的に送出される信号を２つの異なる伝送路を経由して受信する２系統伝送方式において、例えば、図７および図８に示されている信号切替の方式が考えられる。図７は、同一送信点での信号非同期切替を示し、図８は、送信点の変更による信号切替を示す。
【０００３】
図７において、映像信号送信点５０から送出された例えばお天気カメラ▲１▼の映像信号は、独立した２経路の伝送路６１，６２を経由して、受信点に設けられた無瞬断切替装置６３に入力する。該無瞬断切替装置６３は、該２経路のいずれかに障害が発生した場合にはこれを察知し、スイッチを切り替えて正常な経路を無瞬断で選択する。該映像信号送信点５０には、非同期切替装置５１が設けられており、通常のオペレーションにおいて信号切替指示ａが非同期切替装置５１に入力すると、非同期切替装置５１は該信号切替指示ａに従って入力信号を非同期で切り替える。例えば、入力信号を前記天気カメラ▲１▼からＶＴＲ▲１▼に切り替える。
【０００４】
また、図８では、複数の映像信号送信点７１，７２から出力された映像信号は、それぞれ２経路の伝送路７３，７４を経て伝送される。該２経路の伝送路７３，７４は、伝送路切替装置７５で一方が選択的に２経路の伝送路７６に接続され、該伝送路７６を経て伝送された映像信号は無瞬断切替装置７７に入力する。該無瞬断切替装置７７は、該２経路のいずれかに障害が発生した場合には、これを察知し、スイッチを切り替えて正常な経路を無瞬断で選択する。このような構成のシステムにおいて、オペレータによる送信点変更指示ｂが伝送路切替装置７５に入力すると、伝送路７３と７４の切替が行われ、映像信号送信点７１，７２の切替が行われる。
【０００５】
【発明が解決しようとする課題】
図７のシステムにおいて、非同期切替装置５１により映像信号の非同期切替が行われると、無瞬断切替装置６３の信号入力点では、該非同期切替が発生する度に一旦映像フリーズになり、続いて該映像フリーズから動画への状態遷移が発生する。該状態遷移が発生すると、無瞬断切替装置６３はこれに反応して、無用な無瞬断切替が多発するという問題があった。
【０００６】
また、図８のシステムでは、伝送路切替装置７５が映像信号点切替を行うと、無瞬断切替装置７７の信号入力点では、静止画から動画への状態遷移が発生する。この状態遷移が発生すると、無瞬断切替装置７７は図７の場合と同様に、無用な無瞬断切替が多発してしまうという問題があった。
【０００７】
また、図８のシステムでは、映像信号送信点７１，７２の切替が行われると、伝送路の遅延差がその度に変化する。この遅延差の変化は、通常該無瞬断切替装置７７内の内部メモリバッファにより吸収されるようにしているが、場合によっては該内部メモリバッファの調整域が破綻する恐れがあり、信頼性の点で問題があった。
【０００８】
なお、本発明に関連する先行技術として、例えば特開平１１−２８９２７９号公報がある。
【０００９】
本発明は、前記した従来技術の問題点に鑑みてなされたものであり、その目的は、映像信号の非同期切替時や信号点の切替時に、無用な無瞬断切替を起こさない無瞬断切替装置を提供することにある。また、他の目的は、信号点の切替時に内部メモリバッファの調整域が破綻を起こす恐れを防止した信頼性の高い無瞬断切替装置を提供することにある。
【００１０】
【課題を解決するための手段】
前記した目的を達成するために、本発明は、２系統の伝送路を介して伝送されてくる信号を受信する受信端に設けられた無瞬断切替装置において、受信信号入力２ポートに対して、同期ロスを一定時間発生する同期ロス発生手段と、受信信号を監視し、該受信信号の状態遷移を検知すると共に、前記同期ロスを監視する状態監視手段と、該状態監視手段の状態遷移の検知に従って動作する遅延調整制御手段と、前記遅延調整制御手段からの指示により遅延調整を実施する遅延調整手段と、前記受信信号の系統切替を行う系統切替手段とを具備し、該同期ロス発生手段は、送信点変更オペレーション操作がされたときに動作するようにした点に第１の特徴がある。この特徴によれば、送信点切替時に無瞬断切替が反応しないようにすることができる。また、無瞬断切替装置に、入力２ポートで同時に同期ロスが発生したことを認識させることができる。
【００１４】
また、本発明は、前記遅延調整手段のメモリ内調整域は、前記同期ロス発生手段から同期ロスが発生された時に初期設定処理されるようにした点に第２の特徴がある。この特徴によれば、伝送路の遅延差調整により内部メモリバッファの調整域が破綻するのを防止することができるようになる。
【００１５】
【発明の実施の形態】
以下に、図面を参照して、本発明を詳細に説明する。図１は、本実施形態の一つである、送信点切替の場合の２系統伝送方式の構成を示すシステムブロック図である。図において、図８と同等又は同一部分には同一符号を付して、説明を省略する。
【００１６】
本実施形態では、集中監視制御装置２１が設けられており、オペレータにより送信点変更指示がなされると、集中監視制御装置２１はこれを認識し送信点変更指示の制御信号を伝送路切替装置７５に送り、伝送路の切替を行う。これにより、送信点の切替が行われる。
【００１７】
また、集中監視制御装置２１は前記オペレータからの送信点変更指示を認識すると、無瞬断切替装置２３へ、メモリ内調整域の初期設定のタイミングを通知する。このタイミングの通知は、無瞬断切替装置２３の入力側に設けられた断スイッチ２２を動作させることにより行われる。該断スイッチ２２が動作すると、同期ロスが一定時間発生する。無瞬断切替装置２３は、入力２ポートで同時に同期ロスを検出し、メモリ内調整域の初期設定処理を実施する。これにより、無瞬断切替装置２３は、映像伝送の必要のない（送信点変更となる瞬間）タイミングだけを狙ってメモリ内調整域の初期設定処理を行うことができるようになる。なお、図７のような同一送信点での信号非同期切替が行われる場合には、前記断スイッチ２２は動作せず、前記同期ロスは発生しない。
【００１８】
次に、本発明の無瞬断切替装置２３の一実施形態の概略の構成を、図２のブロック図を参照して説明する。
【００１９】
図示されているように、無瞬断切替装置は、遅延調整部１，入力バッファ２，制御部３，および系統切替部４から構成されている。また、該制御部３は、機能的には、状態監視部３１，系統切替制御部３２および遅延調整制御部３３から構成され、ハード的にはＣＰＵ等により実現される。該状態監視部３１は、同期ロス、フリーズ、およびフレームロス等の障害を監視する。
【００２０】
該状態監視部３１が受信信号に障害が発生したことを検出し、系統切替制御部３２が系統切替が必要であると判断した場合には、該系統切替制御部３２は系統切替部４に切替指示を行う。また、該障害の種類が両系統の同期ロスと判断された時には、映像信号点の切替がなされたと判断して、本実施形態では、遅延調整制御部３３は遅延調整部１に遅延調整基準位置をリセットする信号を送出する。
【００２１】
さらに、該状態監視部３１が障害復旧を検知し、遅延調整制御部３３が障害復旧時の伝送路の遅延差を計算し、該計算結果の遅延差が障害発生直前の遅延差計算結果と異なっていると判断した場合には、該遅延調整制御部３３は遅延調整部１に対して遅延差の調整指示を行う。
【００２２】
系統切替部４は、系統切替制御部３２からの指示に従い、系統切替を実施する。また、遅延調整部１は、遅延調整制御部３３からの指示に従い、遅延調整を実施する。
【００２３】
また、本実施形態では、第１、第２の切替様子見時間ｔ１、ｔ２を設定または定義する。すなわち、図７に示した非同期切替がなされた時には、図３に示されているように、伝送路の第１、第２系統において、動画信号が一時的に映像フリーズ（または、静止画像）または映像乱れに遷移し、その後動画信号に復帰する。この時、該第１、第２系統の遷移時間に第１、第２時間差ｔ１’、ｔ２’が発生する。この時間差ｔ１’、ｔ２’が予め定められた時間ｔ１、ｔ２以内、すなわち第１、第２の切替様子見時間ｔ１、ｔ２以内であれば、伝送路に障害が発生したわけではなく、非同期切替により、動画信号が映像フリーズまたは映像乱れに遷移したに過ぎないと判断できるので、無瞬断切替装置は切替を行わないようにする。この結果、無瞬断切替装置が無用な無瞬断切替を起さないようにすることができる。
【００２４】
また、図１または図８に示した映像信号点切替がなされた時には、第１、第２両系統同期ロスが発生すると共に、静止画から動画への状態遷移が発生する。この時、伝送路の遅延差が発生し、該遅延差に起因して、第１、第２系統の遷移時間に時間差ｔ３’が発生する。この時間差ｔ３’が予め定められた時間ｔ２以内、すなわち第２の切替様子見時間ｔ２以内であれば、伝送路に障害が発生したわけではなく、映像信号点切替により、動画信号が一時的に静止画に遷移したに過ぎないと判断できるので、無瞬断切替装置は切替を行わないようにする。この結果、無瞬断切替装置が無用な無瞬断切替を起さないようにすることができる。なお、前記第２の切替様子見時間ｔ２は、図３と図４の場合において、異なる時間にしてもよい。
【００２５】
次に、本実施形態では、前記遅延調整制御部３３からの指示信号により、遅延調整部１のバッファ１ａ、１ｂの遅延調整基準位置をリセットして、該遅延調整基準位置が、図５に示されているように、バッファ１ａ、１ｂの中央になるようにする。このため、第１または第２系統の伝送路のいずれに、遅延挿入方向又は遅延削除方向の遅延差が生じても、バッファ１ａ、１ｂの調整域１１，１２が大きくなり、これらのバッファが破綻する恐れを低減させることができるようになる。
【００２６】
次に、上記の本実施形態の原理を実現するための前記制御部３（図２参照）の機能を、図６のフローチャートを参照して詳細に説明する。
【００２７】
ステップＳ１では、状態監視部３１が、受信した２系統の映像信号の一方から障害が検出されたか否かの判断をする。この判断が否定の場合には、元に戻り障害の検出を継続する。映像信号から障害が検出されたと判断されると、ステップＳ２に進む。
【００２８】
ステップＳ２では、他方の系統に障害が検出されたか否かの判断がなされる。この判断が否定の時にはステップＳ３に進み、第１の切替様子見時間ｔ１が経過したか否かが判断される。この判断が否定の時にはステップＳ２に戻って、他方の系統の障害検出が続行される。この処理において、ステップＳ３が肯定になった場合は、前記非同期切替または映像信号点切替に起因する障害発生ではないと判断され、ステップＳ４以下の処理に移行する。一方、前記ステップＳ２の判断が肯定になった場合には、前記非同期切替または映像信号点切替に起因する障害発生と予想され、ステップＳ９以下の処理に移行する。
【００２９】
ステップＳ４では、障害のあった系統は現在選択されている系統であるか否かの判断がなされ、この判断が肯定の時にはステップＳ５に進んで、現在選択されている系統は、他方の系統に切り替えられる。ステップＳ６では、障害系統が復旧したか否かの判断がなされ、復旧したと判断された時にはステップＳ７に進む。
【００３０】
一方、ステップＳ９では、第１，第２の両系統の障害が、両系統同期ロスか又は両系統フリーズ（又は静止画）かの判断がなされ、両系統同期ロスの場合には映像信号点切替により伝送路の遅延差が発生する可能性が高いので、ステップＳ１０に進み、遅延調整部１の遅延調整基準位置がリセットされる。前記ステップＳ９で両系統フリーズ（又は静止画）と判断された場合には、非同期切替と判定し、ステップＳ１０をスキップしてステップＳ１１に進む。
【００３１】
ステップＳ１１では、一方の系統が動画に遷移したか否かの判断がなされる。この判断が肯定になるとステップＳ１２に進み、第２の切替様子見時間ｔ２が経過したか否かの判断がなされる。この判断が否定の場合にはステップＳ１３に進んで他方の系統も動画に遷移したか否かの判断がなされる。この判断が肯定になると、前記障害が非同期切替または映像信号点切替に起因するものであることが確実であるので、障害系統の切替を行うことなくステップＳ７に進む。このため、無瞬断切替装置は無駄な切替をすることがなくなる。
【００３２】
しかしながら、前記ステップＳ１２の判断が肯定になった場合には、非同期切替または映像信号点切替以外に起因する障害と考えられるので、前記ステップＳ４以下の処理に移行して、障害系統の切替を実行する。
【００３３】
ステップＳ７では、第１と第２の両系統に伝送路の遅延差が発生しているか否かの判断がなされる。遅延差が発生している場合には、ステップＳ８に進んで、遅延差計算結果が非選択系統に反映される。この時、前記ステップＳ１０で遅延調整部１の遅延調整基準位置がリセットされているので、該ステップＳ８の動作により、遅延調整部１のバッファが破綻するのが極力防止される。ステップＳ７の判断が否定またはステップＳ８の処理が終わると、ステップＳ１に戻り、前記した動作が繰り返される。
【００３４】
以上のように、本実施形態では、無瞬断切替装置は映像信号の非同期切替時や映像信号点切替時に、無用な無瞬断切替を起こさなくなる。また、信号点の切替時に伝送路の遅延差が発生しても、これによる遅延調整部１のバッファの破綻は極力防止される。なお、図６の動作は一例に過ぎず、本発明の趣旨を逸脱することなく変更できることは明らかである。
【００３５】
【発明の効果】
以上の説明から明らかなように、本発明によれば、無瞬断切替装置が入力２ポートで同時に同期ロスが発生したことを認識できるようになり、送信点切替が起きたことを認識できるようになる。また、送信点切替が起きたタイミングで、メモリ内調整域の初期設定処理を行わせることができるようになり、伝送路の遅延差調整により内部メモリバッファの調整域が破綻するのを防止することができるようになる。
【図面の簡単な説明】
【図１】  本発明の一実施形態の伝送システムの概略の構成を示すシステムブロック図である。
【図２】  本発明の一実施形態の無瞬断切替装置の概略の構成を示すブロック図である。
【図３】  同一送信点での信号非同期切替時の映像信号の遷移状態を示す図である。
【図４】  送信点切替時の映像信号の遷移状態を示す図である。
【図５】  メモリ内調整域の初期設定処理の説明図である。
【図６】  図２の無瞬断切替装置の機能を示すフローチャートである。
【図７】  同一送信点での信号非同期切替を含む２系統伝送方式のシステムブロック図である。
【図８】  送信点切替を含む２系統伝送方式のシステムブロック図である。
【符号の説明】
１・・・遅延調整部、２・・・入力バッファ、３・・・制御部、４・・・系統切替部、２１・・・集中監視制御装置、２２・・・断スイッチ、２３・・・無瞬断切替装置、３１・・・状態監視部、３２・・・系統切替制御部、３３・・・遅延調整制御部。
【図１】
0003714473.tif 000002
【図２】
0003714473.tif 000003
【図３】
0003714473.tif 000004
【図４】
0003714473.tif 000005
【図５】
0003714473.tif 000006
【図６】
0003714473.tif 000007
【図７】
0003714473.tif 000008
【図８】
0003714473.tif 000009